(57)【要約】      （修正有）【課題】身体を活性化し健康効果・自然治癒力の増進・細胞や血液の浄化作用・抵抗力の増進作用・自立神経活性作用・皮膚病・肌の美白効果・細胞の活性化等に良い効力があり家庭で簡単に入浴が出来る岩盤浴のシステムを提供する。【解決手段】受水槽の中で、黒曜石とトルマリン鉱石が水中ポンプの水圧と水道の圧力でマイナスイオンと遠赤外線等を発生させ、そこで発生したイオン水を家庭のお風呂・ホテルのユニットバス等に取り付け、トルマリン鉱石と黒曜石を混合した鉱石を袋に入れて家庭風呂の床に平らに敷き、其の上に出し入れが簡単な大きさのた石を敷く事き、イオン水を入れて入浴を行う構成とする。【選択図】図１
2007215975.tif 000002
【特許請求の範囲】
【発明の詳細な説明】
【技術分野】
【０００１】  本発明は（トルマリン鉱石・黒曜石・麦飯石・北投石・ラジウム鉱石等）から低温水で摩擦を加え鉱石から、鉱石特有のイオンを発生させ、高湿度と混合させ呼吸によって身体が活性化できるユニットバス付岩盤浴。
【背景技術】
【０００２】  近年、トルマリン鉱石、黒曜石、ラジウム鉱石、麦飯石、北投石、等のマイナスイオン、遠赤外線を発生し易い物質（マイナスイオン、遠赤外線生成材）を用いる種々のサウナが開発され、使用され始めている。
このようなマイナスイオン、遠赤外線生成材はその生成材に触れた空気、水等をマイナスイオン化でき、その生成材を加熱、加圧等すると、簡単に多量のマイナスイオンと遠赤外線を発生させることができる。
その故、マイナスイオン生成を用いたサウナに入ると、そのマイナスイオン、遠赤外線による優れた健康、美容効果を亨受できる。又サウナの低温が可能であるため、低温化により普通のサウナのように厚苦しくなく、我慢をしながら汗を搾りだす必要もなく長時間居ても快適に過ごせる。【０００３】  このようなマイナスイオンとして、気密性、断熱性、の高い部屋に、一般的に市販されているような温度設定が可能な床暖房システムに敷き、その上に球砂入りモルタルにトルマリンの粉末、小豆大のトルマリン原石を混ぜたものを床材として盛り、横たわった人の肩、腰、に当たるように、トルマリン入りのタオル又は陶器等を埋め込み、モルタルを固化させて岩盤を完成し、更にその岩盤を仕切ってベッドと通路を形成してベッドの周囲に溝、通路に若干の経窪みを夫々設け、そこに水気が溜まるようにし、水蒸気が発生し易い環境にして、室内の湿度を調整するようにしたものが提示されている。
【発明の開示】
【発明が解決しようとする課題】
【０００４】  しかしながら、このようなサウナはトルマリン及びイオン生成材の量を多くできず、マイナスイオンや遠赤外線を多量に発生し難い。しかも、そのベッドに上向きになって横たわると、背中側がベッドの上面と広く密着触するため、肩、腰、膝、等の特定の部位を除いた箇所にマイナスイオンが触れ難くなる。又ベッドとなる岩盤の下に一般的に市販されているような床システムを敷くだけでは床部の断熱効果を大きくできない。カビ、汗の悪臭問題が多い、
小型化で機能が低く光熱費が高い、又マイナスイオン等発生が低いのが一般的に市販されているユニット型サウナである。
今迄のユニットバス岩盤浴にはマイナスイオン・遠赤外線の発生装置は市販されていない。【０００５】  本発明はこのような従来の問題点に着目してなされたものであり、低温で高湿度とマイナスイオンや遠赤外線を多量に発生し易く、その高湿度を発生させてマイナスイオンや遠赤外線による効果が得られると共に、身体の温熱指圧効果も得られ、下部は普通の風呂の上に開発蓋を敷く事により、抗菌効果と汗の悪臭の解決、省エネルギーに優れたマイナスイオン発生ユニットバス岩盤浴を提供することを目的とする。【０００６】上記の方法と又湯壷の中にトルマリン鉱石と黒曜石を混合して、袋に入れて１０ｃｍの厚みに平らに敷き入れて其の上に（１例）トルマリンパネル盤を４０ｃｍ角に又は、４０ｃｍ角の石を敷く、［図４］受水槽タンクのマイナスイオン水を入れて入浴する方法は合理的である。
【課題を解決するための手段】
【０００７】上記目的を達成するために、荻原大が特願・整理番号・Ｐ０４０Ｈ０１提出日・平成１８年２月１４日、［発明の名称］マイナスイオン・遠赤外線・電磁波・及び抗菌作用発生ミストシャワー水作成装置［図４］申請の水を湯壷に入れ、４０℃〜４３℃の温熱入浴温水を入れる、蓋の変わりに今回開発した蓋を（特殊パネル盤）を敷く、蓋の資材は（１例）黒曜石加工パーライトをセメント１０％砂２０％、パーライト７０％で（コンクリート）のように練り床板を作成する。【０００８】  荻原大が整理番号・Ｐ０４０Ｈ０１・特願２００４−２９４７０４（Ｐｒｏｏｆ）提出日・平成１６年１０月７日［図４］の特殊パネル盤を［図１］［図２］のように、７等分（実例１）巾３０ｃｍ・厚み５ｃｍをスッテンレス型枠盤に作成して約７枚［図２］を湯壷の上に蓋の代わりに敷き詰める。其の上にバスタオルを敷き、身体を横にして寝る。【０００９】  又、［図１］１貫通穴を設け其の貫通穴から、湯壷のイオン温熱が伝わる。又、身体に２トルマリン特殊ボールが凸凹のため指圧のような感じ効能効果が上がる、湯壷の上にベットの様に敷、其の上にバスタオル敷き寝ることが出来る装置。又は、木製・プラスチック製の加工品・石板を敷く方法も出来る。【００１０】  ユニットバス又は・風呂室内は断熱効果の高い壁、天井、窓ガラス、出入り口のドアー等は高断熱・高気密製作方法が必要である。
【発明の効果】
【００１１】  このようなユニットバス部屋内に入浴者が入って横たわると、湯壷の［図４］のイオン水温熱が身体床面からの突出する多数のトルマリンマイナスイオン生成材からなる身体支持用部材又は凸凹の成形素材で支えられて温熱指圧効果となる、又、身体に適した遠赤外線と電磁波が身体に電動する。横たわった人が床面に密接触せず、各身体支持用部材等で接する箇所が温熱指圧され、床面との間に少し空間ができる。そして、その空間内に周囲からマイナスイオンが侵入、横たわった人の下側にもほぼ平均に多量のマイナスイオンが触れる。それ故、多数の身体用部材による温熱指圧効果と多量のマイナスイオン効果を得ることができる。又、多量の遠赤外線を受けて、その効果を得ることもできる。
【発明を実施するための最良の形態】
【００１２】  上記の原理と荻原大が［図７］出願（申請）整理番号・整理番号・Ｐ０４０Ｈ０１・受付番号２０５００９５０１６５・特願２００５−１７９８５２［発明の名称］湿度・マイナスイオン・遠赤外線等を発生させる装置。をコンパクト化に製作し風呂・ユニットバスの出窓又は、壁側に設置し室内の温度調整を高め、マイナスイオン・遠赤外線・高湿度等を発生させる。【００１３】  湯壷の床［０００６］に６トルマリン鉱石と７黒曜石を混合し出し入れと清掃が簡単に出来るように袋に入れて床に敷き入れる。その上にスノコ板を敷き、又、その上に２石板又は、マイナスイオン生成材板を敷く。【００１４】  湯壷に［図４］からのイオン水を湯壷に入れ、入浴適温にする。
４水中ポンプによって３の水路から５の配管に温水が圧力で流れ、８の噴出し配管に（８の配管は無数の穴が開けたパイプ）圧力で温水が吹き出てイオン鉱石接触する原理でマイナスイオン・縁赤外線等が発生する。【００１５】  このようなユニットバス付サウナ部屋内には多量のマイナスイオンが満ち、多量の遠赤外線が放射されている、室内温度が３８℃〜４０℃程の低温に保たれ、湿度が高く８０％で入浴者が長時間快適に過ごせる。そして、自分の好きな音楽を聞き、滝落とし装置施設等を見ると一層リラックスできる。
入浴者がベッドに横たわると、身体が床面全体にほぼ均等に分散配置されて突出している多数のトルマリンマイナスイオン生成材からなる身体支持用部材凸凹成形部材又は、トルマリンボールで支えられる。【００１６】  ユニットバスサウナの出願内容は荻原大が特願・整理番号・Ｐ０４０Ｈ０１・平成１７年９月２８日及び、出願日・平成１６年７月１６日・整理番号００００９３−０２のユニットサウナをミックスし、長所を取り入れて改善し、家庭的又、ホテル等で多くの方々が安価で使用出来る方法と考案しました。
［図７］の滝落としイオン発生装置の中断に風車をセット、風車を滝落としの温水を落差の水力で風車を回転させて、マイナスイオンと湿度を室内に噴出す装置設置する。
【図面の簡単な説明】
【００１７】
【図１】本発明を適用したトルマリンボールマイナスイオン発生岩盤浴床平面図。
【図２】岩盤浴（湯壷蓋）の（１例）７等分の１、立体図２比類。
【図３】ユニットバス取り付け立体図・
【図４】イオン水発生装置・整理番号・Ｐ０４０Ｈ０１・特願提出日平成１８年２月１４日［図１］断面図と［図２］立体図。
【図５】イオン発生装置、整理番号・Ｐ０４０Ｈ０１・特願２００４−２９７０４（Ｐｒｏｏｆ）提出日・平成１６年１０月７日［図１］断面図と［図４］特殊トルマリンパネル盤の平面図。
【図６】整理番号・Ｐ０４０Ｈ０１特願（Ｐｒｏｏｆ）提出日平成１７年９月２８日［図Ｂ−１］トルマリンパネル盤の断面図、［図−Ｂ２］トルマリンパネル盤の平面図、［図−Ｂ３］トルマリンボールの断面図、［図−Ｂ４］マイナスイオン発生装置立体図。
【図７】整理番号・Ｐ０４０Ｈ０１・受付番号２０５００９５０１６５・特願２００５−１７９８５２イオン発生装置［図１］立体図・［図２］・［図３］断面図
【図８】本発明を適用したユニットバス（風呂）平面図
【図９】本発明を適用したユニットバス（風呂）断面図
【符号の説明】
［図１］蓋、パネル盤  平面図
１．貫通館。
２．トルマリンボール。
３．継ぎ目、縁枠。
４．メッシュ筋。
５．縁枠。
７．断面図
８．貫通管
９．トルマリンボール
１０．トルマリン鉱石
［図２］蓋、パネル盤  立体図
１．貫通管
２．トルマリンボール
３．シンダーコンクリート
４．縁枠
５．メッシュ筋
［図３］ユニットバス、立体図
１．湯壷
２．トルマリンパネル盤
３．貫通管
４．イオン発生装置
５．温水・黒曜石・トルマリン鉱石・タンクイオン
６．風車、イオン・湿度を噴出し装置
７．シャワー
８．温水滝落とし（シャワー）
９．トルマリン  パネル盤
［図８］ユニットバス（風呂）平面図
１．湯の縁
２．石板……取り外しが簡単な方法
３．水中ポンプと湯壷の流通路
４．小型水中ポンプ
［図９］ユニットバス（風呂）断面図
１．湯の縁
２．マイナスイオン石板
３．水中ポンプと湯壷の流通水路
４．小型水中ポンプ
５．水中ポンプからの温水配管
６．トルマリン鉱石
７．黒曜石
８．泡たち温水管
９．スノコ板
１０．枕
１１．温の水面
【図１】
2007215975.tif 000003
【図２】
2007215975.tif 000004
【図３】
2007215975.tif 000005
【図４】
2007215975.tif 000006
【図４】
2007215975.tif 000007
【図５】
2007215975.tif 000008
【図５】
2007215975.tif 000009
【図６】
2007215975.tif 000010
【図６】
2007215975.tif 000011
【図７】
2007215975.tif 000012
【図７】
2007215975.tif 000013
【図８】
2007215975.tif 000014
【手続補正書】
【提出日】平成18年4月26日(2006.4.26)
【手続補正２】
【補正対象書類名】特許請求の範囲
【補正対象項目名】全文
【補正方法】変更
【補正の内容】
【特許請求の範囲】
【請求項１】
家庭用又は、ホテル用の風呂（ユニットバス）等にマイナスイオン生成材鉱石、一例、（トルマリン鉱石・黒曜石・麦飯石・北投石・ラジウムその他マイナスイオン発生生成材等）を風呂又は、（ユニットバス）に取り付け装置を設けて鉱石特有のマイナスイオン・遠赤外線・電磁波等が発生出来る装置。
【請求項２】
風呂、湯壷・ユニットバス（床下）等に請求項１鉱石・イオン生成材を搬入し、温水を入れて循環ポンプ配管に無数の穴を開け、其の穴から圧力温水が床下から噴出してイオン発生鉱石に衝撃を加えて鉱石特有のイオンを発生させる、ユニットバス内の空気と湿度等を混合し、空気化となり呼吸によって身体が活性化できる装置である。
【請求項３】
請求項１のマイナスイオン・遠赤外線等の［特許出願人］荻原大［識別番号］０００１２３３０９が出願した数々のサウナ関係、又は、岩盤浴の装置とマイナスイオン・遠赤外線・身体に良い電磁波発生装置等をコンパクト化して、家庭用、ホテル用に、請求項２と集合化開発し使用が出来る装置である。
【請求項４】
請求項２の装置を増設する事により営業岩盤浴となる。周囲に噴水装置をつけて温水を噴出すことにより高湿度と美観が良く体験場の結果良好である。
【手続補正３】
【補正対象書類名】図面
【補正対象項目名】全図
【補正方法】変更
【補正の内容】
【図１】
2007215975.tif 000015
【図２】
2007215975.tif 000016
【図３】
2007215975.tif 000017
【図４】
2007215975.tif 000018
【手続補正４】
【補正対象書類名】明細書
【補正対象項目名】全文
【補正方法】変更
【補正の内容】
【発明の詳細な説明】
【技術分野】
【０００１】  本発明は（トルマリン鉱石・黒曜石・麦飯石・北投石・ラジウム鉱石）等から低温水で摩擦を加え、鉱石特有のイオンを発生させ、室内を高湿度とマイナスイオンを混合させ呼吸によって身体が活性化できるユニットバス付岩盤浴。
【背景技術】
【０００２】  近年、トルマリン鉱石、黒曜石、ラジウム鉱石、麦飯石、北投石、等のマイナスイオン、遠赤外線を発生し易い物質（マイナスイオン、遠赤外線生成材）を用いる種々のサウナが開発され、使用され始めている。このようなマイナスイオン、遠赤外線生成材はその生成材に触れた空気、水等をマイナスイオン化でき、その生成材を加熱、加圧等すると、簡単に多量のマイナスイオンと遠赤外線を発生させることができる。その故、マイナスイオン生成を用いたサウナに入ると、そのマイナスイオン、遠赤外線による優れた健康、美容効果を亨受できる。又サウナの低温が可能であるため、低温化により普通のサウナのように厚苦しくなく、我慢をしながら汗を搾りだす必要もなく長時間居ても快適に過ごせる。【０００３】  このようなマイナスイオンとして、気密性、断熱性、の高い部屋に、一般的に市販されているような温度設定が可能な床暖房システムに敷き、その上に球砂入りモルタルにトルマリンの粉末、小豆大のトルマリン原石を混ぜたものを床材として盛り、横たわった人の肩、腰、に当たるように、トルマリン入りのタオル又は陶器等を埋め込み、モルタルを固化させて岩盤を完成し、更にその岩盤を仕切ってベッドと通路を形成してベッドの周囲に溝、通路に若干の経窪みを夫々設け、そこに水気が溜まるようにし、水蒸気が発生し易い環境にして、室内の湿度を調整するようにしたものが提示されている。
【発明の開示】
【発明が解決しようとする課題】
【０００４】  しかしながら、このようなサウナはトルマリン及びイオン生成材の量を多くできず、マイナスイオンや遠赤外線を多量に発生し難い。しかも、そのベッドに上向きになって横たわると、背中側がベッドの上面と広く密着触するため、肩、腰、膝、等の特定の部位を除いた箇所にマイナスイオンが触れ難くなる。又ベッドとなる岩盤の下に一般的に市販されているような床システムを敷くだけでは床部の断熱効果を大きくできない。カビ、汗の悪臭問題が多い、小型化で機能が低く光熱費が高い、又マイナスイオン等発生が低いのが一般的に市販されているユニット型サウナである。今迄のユニットバス岩盤浴にはマイナスイオン・遠赤外線の発生装置は市販されていない。【０００５】  本発明はこのような従来の問題点に着目してなされたものであり、低温で高湿度とマイナスイオンや遠赤外線を多量に発生し易く、その高湿度を発生させてマイナスイオンや遠赤外線による効果が得られると共に、身体の温熱指圧効果も得られ、下部は普通の風呂の上に開発蓋を敷く事により、抗菌効果と汗の悪臭が解決、省エネルギーに優れたマイナスイオン発生ユニットバス岩盤浴を提供することを目的とする。【０００６】上記の方法、又湯壷の中にトルマリン鉱石と黒曜石を混合し湯壷に入れ、又は、清掃の時に出し入れが簡単に出来るように袋に入れて多量に鉱石を敷き入れる。其の上に（１例）トルマリンパネル盤を取り外しが簡単に出来る方法。又は、（図１）のように４０ｃｍ角の石を敷き、トルマリンパネル盤（敷石）下の辺まで、湯壷に水を入れて４０℃〜４５℃入浴温度に設定して、循環ポンプパイプ穴から温水圧で鉱石に衝撃を加えてマイナスイオン・遠赤外線等を発生させる装置。
【課題を解決するための手段】
【０００７】  上記目的を達成するために、荻原大が特願・整理番号・Ｐ０４０Ｈ０１提出日・平成１８年２月１４日、［発明の名称］マイナスイオン・遠赤外線・電磁波・及び抗菌作用発生ミストシャワー水作成装置を申請の水を湯壷に入れ、４０℃〜４５℃の温熱入浴温水を入れる、蓋の変わりに今回開発した（図４）（特殊パネル盤）を敷く、特殊パネル盤素材は（１例）黒曜石加工パーライトをセメント１０％砂２０％、パーライト７０％で（コンクリート）のように練り床板の上に（図３）のように作成する。【０００８】  荻原大が整理番号・Ｐ０４０Ｈ０１・特願２００４−２９４７０４（Ｐｒｏｏｆ）提出日・平成１６年１０月７日（図３）の特殊パネル盤を（図３）（図４）のように、７等分（実例１）巾３０ｃｍ・厚み８ｃｍをスッテンレス型枠盤に作成して約７枚（図４）を湯壷の上に敷き詰める。其の上にバスタオルを敷き、身体を横たわり寝る。【０００９】  又、（図１）９貫通穴を設け其の貫通穴から、湯壷のイオン温熱が伝わる。又、身体に８トルマリン特殊ボールが凸凹のため指圧のような感じ効能効果が上る、湯壷の上にベッドの様に敷、其の上にバスタオル敷き寝ることが出来る装置。又は、木製・プラスチック製の加工品・石板を敷く方法も出来る。【００１０】  ユニットバス又は・風呂室内は断熱効果の高い壁、天井、窓ガラス、出入り口のドアー等は高断熱・高気密製作方法が必要である。
【発明の効果】
【００１１】  このようなユニットバス部屋内に入浴者が入って横たわると、湯壷の（図１）のイオン水温熱が身体床面からの突出する多数のトルマリンマイナスイオン生成材からなる身体支持用部材又は凸凹の成形素材で支えられて温熱指圧効果となる、又、身体に適した遠赤外線と電磁波が身体に電動する。横たわった人が床面に密接触せず、各身体支持用部材等で接する箇所が温熱指圧され、床面との間に少し空間ができる。そして、その空間内に周囲からマイナスイオンが侵入、横たわった人の下側にもほぼ平均に多量のマイナスイオンが触れる。それ故、多数の身体用部材による温熱指圧効果と多量のマイナスイオン効果を得ることができる。
【発明を実施するための最良の形態】
【００１２】  上記の原理と荻原大が整理番号・Ｐ０４０Ｈ０１・受付番号２０５００９５０１６５・特願２００５−１７９８５２（発明の名称）湿度・マイナスイオン・遠赤外線等を発生させる装置。をコンパクト化に製作し風呂・ユニットバスの出窓又は、壁側に設置し室内の温度調整を高め、マイナスイオン・遠赤外線・高湿度等を発生させる。【００１３】  湯壷に（図２）１３水を湯壷に入れ、４０℃から４５℃の適温に設定する。３水中ポンプによって５の配管に無数の噴出し穴を開いた管より温水が圧力で噴出しトルマリン鉱石・黒曜石・イオン生成材に温水衝撃が加わり、マイナスイオン・遠赤外線等が発生し、９の貫通管及び（図３）特殊トルマリンパネル盤に伝道する装置ある。【００１４】  このようなユニットバス付サウナ部屋内には多量のマイナスイオンが満ち、多量の遠赤外線が放射されている、室内温度が３８℃〜４０℃程の低温に保たれ、湿度が高く約、８０％で入浴者が長時間快適に過ごせる。そして、自分の好きな音楽を聞き、滝落とし装置施設等を見ると一層リラックスができる。入浴者がベッドに横たわると、身体が床面全体にほぼ均等に分散配置されて突出している多数のトルマリンマイナスイオン生成材からなる身体支持用部材凸凹成形部材又は、トルマリンボールで支えられる。【００１５】  ユニットバスサウナの出願内容は荻原大が特願・整理番号・Ｐ０４０Ｈ０１・平成１７年９月２８日及び、出願日・平成１６年７月１６日・整理番号００００９３−０２のユニットサウナをミックスし、長所を取り入れて改善し、家庭的又、ホテル等で多くの方々が安価で使用出来る方法と考案しました。（図７）の滝落としイオン発生装置の中断に風車をセット、風車を滝落としの温水を落差の水力で風車を回転させて、マイナスイオンと湿度を室内に噴出す装置設置する。
【図面の簡単な説明】
【００１６】
【図１】湯壷の平面図
【図２】湯壷の断面図
【図３】身体を横（寝る）特殊トルマリンパネル盤の平面図と断面図
【図４】（３図）の立体図
【符号の説明】
【００１７】１．湯の縁２．石板３．水中ポンプと湯壷の流通路４．小型水中ポンプ５．噴水温水管６．トルマリン鉱石７．黒曜石８．ともマリンボール９．貫通管１０．特殊トルマリンパネル盤１１．縁枠１２．シンダーコンクリート１３．温水（循環するのでトルマリン温水となる）